(57)【要約】  【課題】配線用の基板にコネクタを介して一端部が接続されたフレキシブルケーブルの途中部を容易に保持することができる遊技機を提供する。  【解決手段】フレキシブルケーブル６０の一端部６０ｃが配線用の基板４３にコネクタ６１を介して接続され、そのフレキシブルケーブル６０に近接するように可動役物ベース３０が配設され、フレキシブルケーブル６０の途中部６０ａにそのケーブル６０（途中部６０ａ）が可動役物ベース３０の特定壁部７１を挟むように曲げた曲げ部６０ｂを形成し、そのケーブル６０（途中部６０ａ）の曲げ部６０ｂの両端側を特定壁部７１に接触させるように保持する保持部材７５を設けた。【選択図】  図１０
2014221104.tif 000002
【特許請求の範囲】
【請求項１】
配線用の基板と、
前記基板にコネクタを介して一端部が接続されたフレキシブルケーブルと、
前記フレキシブルケーブルの途中部に近接するように配設された所定部材とを備え、
前記フレキシブルケーブルの途中部に前記所定部材の特定壁部を挟むように曲げた曲げ部を形成し、そのケーブルの曲げ部の両端側を前記特定壁部に接触させるように保持する保持部を設けたことを特徴とする遊技機。
【請求項２】
配線用の基板と、
前記基板にコネクタを介して一端部が接続されたフレキシブルケーブルとを備え、
前記フレキシブルケーブルの途中部に前記基板の端部を挟むように曲げた曲げ部を形成し、そのケーブルの曲げ部の両端側を前記基板に接触させるように保持する保持部を設けたことを特徴とする遊技機。
【発明の詳細な説明】
【技術分野】
【０００１】
本発明は遊技機に関し、特に配線用の基板にコネクタを介して一端部が接続されたフレキシブルケーブルの途中部を保持する構造に関する。
【背景技術】
【０００２】
従来、パチンコ遊技機等の遊技機には、遊技性、並びに遊技興趣を高めるために、遊技演出を行う演出装置が設けられている。近年主流の機種では、演出装置として、様々な演出画像（主に動画）を表示させる画像表示装置が設けられているが、その他に、可動に設けられた可動役物と、この可動役物を移動駆動する駆動機構とを備えた可動役物装置；所謂ギミック（例えば、特許文献１参照）が公知である。
【０００３】
この種の可動役物装置において、可動役物に電飾装置等の電気機器が搭載されたものでは、通常、その電気機器を駆動制御系に結線するためにフレキシブルケーブルが用いられ、そのフレキシブルケーブルの両端部が夫々コネクタを介して配線用の基板（静止側基板と可動側基板）に接続されている（特許文献１参照）。
【０００４】
特許文献１の遊技機では、フレキシブルケーブルの一端部がコネクタを介して静止側基板に接続され、そのフレキシブルケーブルの一端側の途中部がケーブル保持構造により静止側部材に保持されている。このケーブル保持構造には、静止側部材に上下に対向する上壁と下壁とが設けられ、上壁に下方へ突出する複数の突起部が形成され、下壁に上方へ突出する複数の突起部が形成され、この上壁と下壁との間にフレキシブルケーブルの途中部がジグザグに曲げた状態に差込まれ保持されている。
【先行技術文献】
【特許文献】
【０００５】
【特許文献１】特開２０１２−１４８６９号公報
【発明の概要】
【発明が解決しようとする課題】
【０００６】
遊技機において、可動役物に搭載された電気機器を駆動制御系に結線するために用いられるフレキシブルケーブルは、その両端部が夫々コネクタを介して配線用基板に接続されているが、そのフレキシブルケーブルの途中部が何ら保持されなければ、特にフレキシブルケーブルの全長が長い場合、また、可動役物の移動距離が長い場合、フレキシブルケーブルの撓みにより、フレキシブルケーブルの配線、フレキシブルケーブルとコネクタとの接続、コネクタと配線用基板との接続等に不具合が生じる虞がある。
【０００７】
特許文献１のケーブル保持構造は、フレキシブルケーブルの途中部を保持するために、静止側部材に上壁と下壁とを設け、この上壁と下壁とに夫々複数の突起部を形成した複雑な構造になる。しかも、このケーブル保持構造では、上壁と下壁との間にフレキシブルケーブルの途中部をジグザグに曲げた状態に差込む作業も煩雑になり、また、比較的大型で設置する上で制約を受け易いので、汎用性が乏しいものになる。
【０００８】
本発明の目的は上記課題を改善できる遊技機を提供することである。
【課題を解決するための手段】
【０００９】
第１の発明（遊技機）は、配線用の基板(43)と、前記基板(43)にコネクタ(61)を介して一端部(60c) が接続されたフレキシブルケーブル(60/60A/60B)と、前記フレキシブルケーブル(60/60A/60B)に近接するように配設された所定部材(31/31A/31B)とを備え、前記フレキシブルケーブル(60/60A/60B)の途中部(60a/60Aa/60Ba) に前記所定部材(31/31A/31B)の特定壁部(71/71A/71B)を挟むように曲げた曲げ部(60b/60Ab/60Bb) を形成し、そのケーブル(60/60A/60B)の曲げ部(60b/60Ab/60Bb) の両端側を前記特定壁部(71/71A/71B)に接触させるように保持する保持部(75/75A/75B)を設けたことを特徴とする。
【００１０】
第２の発明（遊技機）は、配線用の基板(80)と、前記基板(80)にコネクタ(61C) を介して一端部(60Cc)が接続されたフレキシブルケーブル(60C) を備え、前記フレキシブルケーブル(60C) の途中部(60Ca)に前記基板(80)の端部を挟むように曲げた曲げ部(60Cb)を形成し、そのケーブル(60C) の曲げ部(60Cb)の両端側を前記基板(80)に接触させるように保持する保持部(75C) を設けたことを特徴とする。
【発明の効果】
【００１１】
本発明によれば、配線用の基板にコネクタを介して一端部が接続されたフレキシブルケーブルの途中部を容易に保持することができる。
【図面の簡単な説明】
【００１２】
【図１】本発明に係る実施例１のパチンコ遊技機の正面図である。
【図２】パチンコ遊技機の遊技盤の正面図である。
【図３】パチンコ遊技機の制御系のブロック図である。
【図４】可動役物装置の前面側の斜視図である。
【図５】可動役物装置の前面側の分解斜視図である。
【図６】可動役物ベースの作動説明図である。
【図７】第１可動役物の作動説明図である。
【図８】固定電飾装置の後面側の分解斜視図である。
【図９】可動電飾装置の後面側の分解斜視図である。
【図１０】フレキシブルケーブルとケーブル保持構造等の断面図である。
【図１１】フレキシブルケーブルとケーブル保持構造等の前面側の斜視図である。
【図１２】フレキシブルケーブル、保持部材の前面側の斜視図である。
【図１３】実施例２のフレキシブルケーブル、ケーブル保持構造の断面図である。
【図１４】図１３のXIV 矢視図である。
【図１５】実施例３のフレキシブルケーブル、ケーブル保持構造の断面図である。
【図１６】実施例４のフレキシブルケーブル、ケーブル保持構造の断面図である。
【図１７】図１６のXVII矢視図である。
【発明を実施するための形態】
【００１３】
以下、発明を実施するための形態について実施例に基づいて説明する。
【実施例１】
【００１４】
図１、図２に示すように、パチンコ遊技機１には、遊技ホールの島構造に取付けられる外枠（図示略）に開閉枠２（内枠２）が開閉自在に装着され、開閉枠２に開閉扉３が開閉自在に装着されている。開閉扉３に窓３ａが形成され、その窓３ａに透明板３ｂが装着されている。開閉枠２の左端部に開閉扉３の左端部が鉛直軸心回りに回動自在に支持され、開閉扉３の右端部に、開閉扉３を開閉枠２に施錠するキーシリンダ３ｃが装着されている。開閉枠２に遊技盤４が装着され、遊技盤４とその前側の透明板３ｂとの間に遊技球が流下可能な遊技領域４ａが形成され、この遊技領域４ａが開閉扉３により開閉される。
【００１５】
開閉扉３には、窓３ａの下側に遊技球を貯留する上皿５ａと下皿５ｂとを有する皿ユニット５が設けられ、その皿ユニット５に遊技者が操作可能な演出ボタンＳＷ６（「ＳＷ」はスイッチを意味する）と発射ハンドル７とが装着されている。発射ハンドル７が回動操作されると、上皿５ａから発射位置に導入された遊技球が発射され、上皿５ａに複数の遊技球が貯留されている場合には、複数の遊技球が約0.6 秒間隔で連続発射される。発射された遊技球はガイドレール８で案内され遊技領域４ａの上部に導入される。
【００１６】
図２、図３に示すように、遊技領域４ａには、多数の障害釘４ｂの他に、非開閉式の第１始動口１０と、開閉式の第２始動口１１ａを有する始動口装置１１と、ゲート１２と、開閉式の大入賞口１３ａを有する大入賞口装置１３と、複数（４つ）の一般入賞口１４とが、夫々遊技球が通過（入賞）可能に図示の配置で設けられている。第１始動口１０、ゲート１２、複数の一般入賞口１４には、夫々、そこに入賞した遊技球を検出する第１始動口ＳＷ１０ａ、ゲートＳＷ１２ａ、複数の一般入賞口ＳＷ１４ａが付設されている。
【００１７】
始動口装置１１は、第２始動口１１ａと、第２始動口１１ａを開閉する開閉部材１１ｂと、第２始動口１１ａに入賞した遊技球を検出する第２始動口ＳＷ１１ｃと、開閉部材１１ｂを開閉駆動する第２始動口ＳＯＬ１１ｄ（「ＳＯＬ」はソレノイドアクチュエータを意味する）とを有し、第２始動口１１ａは、通常は遊技球が入賞し難い（入賞不可能な）閉状態になり、この閉状態と遊技球が入賞し易い開状態とに作動し得る。
【００１８】
大入賞口装置１３は、大入賞口１３ａと、大入賞口１３ａを開閉する開閉部材１３ｂと、大入賞口１３ａに入賞した遊技球を検出する大入賞口ＳＷ１３ｃと、開閉部材１３ｂを開閉駆動する大入賞口ＳＯＬ１３ｄとを有し、大入賞口１３ａは、通常は遊技球が入賞し難い（入賞不可能な）閉状態になり、この閉状態と遊技球が入賞し易い開状態とに作動し得る。
【００１９】
遊技領域４ａに発射された遊技球が、入賞口１０，１１ａ，１３ａ，１４の何れかに入賞した場合、遊技球１個の入賞につき入賞口１０，１１ａ，１３ａ，１４毎に設定された数（数個〜10数個）の遊技球が賞球として上皿５ａに払出され、上皿５ａが遊技球で満杯の場合には下皿５ｂに払出される。遊技球が入賞口１０，１１ａ，１３ａ，１４の何れにも入賞しなかった場合、最終的に排出口９から遊技領域４ａの外部へ排出される。
【００２０】
遊技球が始動口１０，１１ａに入賞した場合には大当り抽選が行われ、その大当り抽選で当選すると、大入賞口１３ａが開放する特別遊技（大当り遊技）が発生し、遊技球がゲート１２を通過した場合には当り抽選が行われ、その当り抽選で当選すると、第２始動口１１ａが開放する補助遊技が発生する。
【００２１】
遊技盤４にはセンタ役物１５が取付けられ、このセンタ役物１５に遊技演出用の画像表示装置１６と可動役物装置１７とが装備されている。センタ役物１５は、その枠体１５ａが遊技盤４に比較的大きく形成されたセンタ開口部（図示略）に嵌合装着され、その枠体１５ａの下部には遊技球が転動するステージ１５ｂが形成されている。画像表示装置１６は、その画面をパチンコ遊技機１の前側からセンタ役物１５の枠体１５ａの内側を通して視認可能に配置されている。
【００２２】
遊技盤４の左下部に遊技表示盤１９が設けられ、この遊技表示盤１９は、第１特図表示器１９ａ、第２特図表示器１９ｂ、普図表示器１９ｃ、第１特図保留ランプ１９ｄ、第２特図保留ランプ１９ｅ、普図保留ランプ１９ｆを備えている。
【００２３】
第１特図表示器１９ａには第１特別図柄が変動可能に表示され、第１特図保留ランプ１９ｄには第１特図保留数が表示され、その第１特図保留数は４未満の場合に第１始動口１０に遊技球が入賞する毎に１加算される。第２特図表示器１９ｂには第２特別図柄が変動可能に表示され、第２特図保留ランプ１９ｅには第２特図保留数が表示され、その第２特図保留数は４未満の場合に第２始動口１１ａに遊技球が入賞する毎に１加算される。
【００２４】
第１，第２特別図柄が変動停止状態で、第１特図保留数が１以上の場合、第２特図保留数が０の場合には、第１特図保留数が１減算されて第１特別図柄が変動開始され、その後の停止図柄で大当り抽選の結果が表示される。第１，第２特別図柄が変動停止状態で、第２特図保留数が１以上の場合、第１特図保留数に関わらず、第２特図保留数が１減算されて第２特別図柄が変動開始され、その後の停止図柄で大当り抽選の結果が表示される。
【００２５】
普図表示器１９ｃには普通図柄が変動可能に表示され、普図保留ランプ１９ｆには普図保留数が表示され、その普図保留数は４未満の場合にゲート１２を遊技球が通過する毎に１加算される。普通図柄が変動停止状態で、普図保留数が１以上の場合、普図保留数が１減算されて普通図柄が変動開始され、その後の停止図柄で当り抽選の結果が表示される。
【００２６】
画像表示装置１６には、特図表示器１９ａ，１９ｂに特別図柄が変動表示されているときには、大当り抽選で当選する期待度を示唆する図柄変動演出が表示され、特別遊技が行われているときには、特別遊技を盛り上げる特別遊技演出が表示される。
【００２７】
パチンコ遊技機１の制御系について説明する。
図４に示すように、制御装置２０は、遊技制御基板２１、払出制御基板２２、演出制御基板２３、画像制御基板２４、ランプ制御基板２５を備え、これら制御基板２１〜２５に夫々ＣＰＵとＲＯＭとＲＡＭを含むコンピュータを備えて構成され、演出制御基板２３は更にＲＴＣ（「ＲＴＣ」はリアルタイムクロックを意味する）を備えている。
【００２８】
遊技制御基板２１のコンピュータは、第１，第２始動口ＳＷ１０ａ，１１ｃ、ゲートＳＷ１２ａ、大入賞口ＳＷ１３ｃ、複数の一般入賞口ＳＷ１４ａからの信号、払出制御基板２２からの制御情報（コマンド）を受けて、第２始動口ＳＯＬ１１ｄ、大入賞口ＳＯＬ１３ｄ、図柄表示器１９ａ〜１９ｃ、図柄保留ランプ１９ｄ〜１９ｆを制御し、払出制御基板２２、演出制御基板２３に制御情報を出力する。
【００２９】
払出制御基板２２のコンピュータは、遊技制御基板２１からの制御情報、払出球検出ＳＷ２６ｂ、球有り検出ＳＷ２６ｃ、満タン検出ＳＷ２６ｄからの信号を受けて、払出モータ２６ａを制御し、遊技制御基板２１に制御情報を出力する。演出制御基板２３のコンピュータは、遊技制御基板２１、画像制御基板２４、ランプ制御基板２５からの制御情報、演出ボタンＳＷ６からの信号を受けて、画像制御基板２４、ランプ制御基板２５に制御情報を出力する。
【００３０】
画像制御基板２４のコンピュータは、演出制御基板２３からの制御情報を受けて、画像表示装置１６、スピーカ２７を制御し、演出制御基板２３に制御情報を出力する。ランプ制御基板２５のコンピュータは、可動役物装置１７（原点ＳＷ）からの信号、演出制御基板２３からの制御情報を受けて、可動役物装置１７（電動モータ、ＬＥＤ）、枠ランプ２８ａ、盤ランプ２８ｂを制御し、演出制御基板２３に制御情報を出力する。
【００３１】
可動役物装置１７について説明する。
図２に示すように、可動役物装置１７は、画像表示装置１６の下側において、画像表示装置１６と同様に、パチンコ遊技機１の前側からセンタ役物１５の枠体１５ａの内側を通して、或いは枠体１５ａの内側において視認可能に配置されている。
【００３２】
図４〜図９に示すように、可動役物装置１７は、センタ役物１５（又は遊技盤４）に固定された役物ベース３０と、役物ベース３０に可動に装着された可動役物ベース３１と、可動役物ベース３１を左右方向へ左端移動位置Ｐ１（図６（１））と右端移動位置Ｐ２（図６（２））とに亙って移動駆動する電動モータ３２ａを有する第１駆動機構３２とを備えている。第１駆動機構３２には、役物ベース３０の原点位置を検出する原点ＳＷ（図示略）が付設されている。
【００３３】
可動役物装置１７は、更に、可動役物ベース３１に対して可動に装着された１つの「目」を模した左右１対の第１可動役物３３と、可動役物ベース３１に対して１対の第１可動役物３３を左右方向へ且つ相互に接近・離隔する方向へ対称に閉位置Ｑ１（図７（１））と開位置Ｑ２（図７（２））とに亙って移動駆動する電動モータ３４ａを有する第２駆動機構３４とを備えている。第２駆動機構３４には、１対の第１可動役物３３の原点位置を検出する原点ＳＷ（図示略）が付設されている。
【００３４】
可動役物装置１７は、更に、１対の第１可動役物３３に対して夫々可動に装着された左右２つの「手」を模した左右１対の第２可動役物３５と、第２駆動機構３４が１対の第１可動役物３３を移動駆動する動力により１対の第２可動役物３５を対称に夫々動作させる左右１対の第２可動役物作動機構３６と、役物ベース３０に設けられた固定電飾装置３７と、１対の第１可動役物３３に夫々設けられた１対の可動電飾装置３８とを備えている。
【００３５】
図８に示すように、固定電飾装置３７には、電飾ケース４０が設けられ、この電飾ケース４０に電飾レンズ４１と配線用の基板４２，４３，４４（プリント基板４２，４３，４４）が取付けられている。基板４２の前面に複数のＬＥＤ４２ａが実装され、基板４３，４４の後面に複数のＬＥＤ４３ａ，４４ａが夫々実装されている。電飾レンズ４１には、その後面から複数のＬＥＤ４２ａの光が入射され、左右両側方端から複数のＬＥＤ４３ａ，４４ａの光が入射され、電飾レンズ４１が発光する。
【００３６】
図９に示すように、１対の可動電飾装置３８には、夫々、電飾ケース５０と前カバー５１が設けられ、電飾ケース５０に電飾レンズ５２と配線用の基板５３（プリント基板５３）が取付けられている。基板５３の前面に複数のＬＥＤ５２ａが実装され、電飾レンズ５２には、その後面から複数のＬＥＤ５３ａの光が入射され、電飾レンズ５２が発光する。固定電飾装置３７の複数のＬＥＤ４２ａ，４３ａ，４４ａ、１対の可動電飾装置３８の複数のＬＥＤ５３ａは、夫々、制御装置２０のランプ制御基板２５に接続されている。
【００３７】
図８〜図１２に示すように、左側の可動電飾装置３８の複数のＬＥＤ５３ａをランプ制御基板２５に結線するためにフレキシブルケーブル６０が用いられ、そのフレキシブルケーブル６０の一端部６０ｃがコネクタ６１を介して固定電飾装置３７の左側の基板４３に接続され、フレキシブルケーブル６０の他端部６０ｄがコネクタ６２を介して左側の可動電飾装置３８の複数のＬＥＤ５３ａが実装された基板５３に接続されている。
【００３８】
フレキシブルケーブル６０は、その両端部の高さ位置（上下方向位置）が同じになるように、基板４３，５３にコネクタ６１，６２により接続されて、可動役物ベース３１（所定部材３１）及び第１可動役物３３（基板５３）の左右方向への移動に対して撓み得るように配線されている。
【００３９】
ここで、図４、図５に示すように、役物ベース３０は正面視にて上下長よりも左右長が長い略矩形状に形成され、可動役物ベース３１は正面視にて役物ベース３０と略同形同サイズに形成され、１対の第１可動役物３３（基板５３）は、役物ベース３０（基板４３）の前側に可動役物ベース３１を隔てて配置されている。
【００４０】
可動役物ベース３１には、中央部分に固定電飾装置３７の電飾レンズ４１の前側に位置する透明壁部３１ａが設けられ、透明壁部３１ａの左右両側に左壁部３１ｂと右壁部３１ｃが設けられ、左右の壁部３１ｂ，３１ｃには、可動役物ベース３１を役物べース３０に可動に装着する為や第２可動役物作動機構３６の為のスリット等が形成されている。
【００４１】
図１０〜図１２に示すように、可動役物ベース３１の左壁部３１ｂの下部には、フレキシブルケーブル６０の両端部と同じ高さ位置に、フレキシブルケーブル６０が貫通する矩形のケーブル貫通穴３１ｄが形成され、フレキシブルケーブル６０のうちケーブル貫通穴３１ｄを貫通する部分とその近傍の途中部６０ａに、右方凸に折返されるように曲げた曲げ部６０ｂが形成されている。
【００４２】
フレキシブルケーブル６０は、可動役物ベース３１の後側において、基板４３から左方へ延び、可動役物ベース３１に接近するように後側から前側へＵターン状に湾曲し右方へ延びて途中部６０ａに至り、一方、可動役物ベース３１の前側において、基板５３から左方へ延び、可動役物ベース３１に接近するように前側から後側へＵターン状に湾曲し右方へ延びて途中部６０ａに至るように配線されている。
【００４３】
可動役物装置１７には、フレキシブルケーブル６０に可動役物ベース３１（所定部材３１）が近接するように、フレキシブルケーブル６０、可動役物ベース３１が配設され、このフレキシブルケーブル６０の途中部６０ａを可動役物ベース３１に保持するケーブル保持構造７０が設けられている。
【００４４】
可動役物ベース３１のうちケーブル貫通穴３１ｄの左側近傍部分が断面板状且つ断面にて右方凸形の特定壁部７１をなし、ケーブル保持構造７０は、フレキシブルケーブル６０の途中部６０ａにそのケーブル６０（途中部６０ａ）が可動役物ベース３１の特定壁部７１を前後両側から挟むように曲げた曲げ部６０ｂを形成し、そのケーブル６０（途中部６０ａ）の曲げ部６０ｂの両端側を特定壁部７１の前面及び後面に接触させるように保持する保持部材７５（保持部７５）を備えている。
【００４５】
詳細には、ケーブル６０の曲げ部６０ｂは、可動役物ベース３１のケーブル貫通穴３１ｄの端縁の前後２つの角部に沿って２箇所形成され、それらを含むケーブル部分及びその両端側が、特定壁部７１に接触した状態で保持部材７５により保持されている。
【００４６】
保持部材７５は、可動役物ベース３１の特定壁部７１と共に、フレキシブルケーブル６０の途中部６０ａを挟持する二股状の挟持部７６と、この挟持部７６と一体形成され可動役物ベース３１に固定される取付部７７とを有する。
【００４７】
挟持部７６は、ケーブル貫通穴３１ｄ側からフレキシブルケーブル６０の途中部６０ａを介して特定壁部７１に係合され、取付部７７は挟持部７６からケーブル貫通穴３１ｄの後側において右方へ延び、この取付部７７の右部が、可動役物ベース３１のうちケーブル貫通穴３１ｄの右側近傍部分の後面に当接しビス７８により固定されている。
【００４８】
以上説明したケーブル保持構造７０によれば、可動電飾装置３８の複数のＬＥＤ５３ａが実装された基板５３と固定電飾装置３７の基板４３とをフレキシブルケーブル６０により接続し、このフレキシブルケーブル６０の途中部６０ａを、可動電飾装置３８と固定電飾装置３７の間に位置する可動役物ベース３１に保持することができる。
【００４９】
また、フレキシブルケーブル６０を可動役物ベース３０に形成されたケーブル貫通穴３１ｄを貫通させるように配線し、この貫通穴３１ｄを利用して、フレキシブルケーブル６０のうちケーブル貫通穴３１ｄを貫通する部分とその近傍の途中部６０ａを、可動役物ベース３０のうちケーブル貫通穴３１ｄの近傍の特定壁部７１に保持部材７５により保持することができる。
【００５０】
この場合、フレキシブルケーブル６０の途中部６０ａにそのケーブル６０（途中部６０ａ）が特定壁部７１を挟むように曲げた曲げ部６０ｂを形成し、保持部材７５によりそのケーブル６０（途中部６０ａ）の曲げ部６０ｂの両端側を特定壁部７１に接触させるように保持するので、しかも、その保持部材７５を可動役物ベース３０に固定することができるので、フレキシブルケーブル６０の途中部６０ａを可動役物ベース３０に容易に確実に保持することができる。
【００５１】
また、ケーブル保持構造７０にフレキシブルケーブル６０の途中部６０ａを保持させる作業も非常に容易に行うことできる。即ち、フレキシブルケーブル６０の途中部６０ａに予め曲げ部６０ｂを形成することなく、その途中部６０ａをケーブル貫通穴３１ｄに貫通させ特定壁部７１に近接させた状態で、その途中部６０ａを特定壁部７１との間に挟み込むように、特定壁部７１に保持部材７５をケーブル貫通穴３１ｄ側から係合させるように装着するだけで、曲げ部６０ｂを形成してその両端側を特定壁部７１に接触させるように簡単に確実に保持することができる。
【００５２】
このように、ケーブル保持構造７０をシンプルに小型に設けることができるので、ケーブル保持構造７０を設置する上で制約を受け難く、フレキシブルケーブル６０の途中部６０ａを保持させる作業も非常に容易であるので、汎用性が非常に優れたものになる。
【００５３】
そして、フレキシブルケーブル６０の途中部６０ａを保持することで余長処理を行うことができるので、特にフレキシブルケーブル６０の全長が長い場合、また、可動役物ベース３１、第１可動役物３３の移動距離が長い場合、フレキシブルケーブル６０の撓みにより、フレキシブルケーブル６０の配線、フレキシブルケーブル６０とコネクタ６１，６２との接続、コネクタ６１，６２と配線用の基板３４，３５との接続等に不具合が生じるのを防止できる。
【００５４】
尚、前記可動役物装置１７において、可動役物ベース３１が省略され、第１可動役物３３（基板５３）が、役物ベース３０（基板４３）の前側に、可動役物ベース３１以外の所定部材（例えば、静止側の部材）を隔てて配置されている場合、その所定部材にケーブル貫通穴を形成し、フレキシブルケーブル６０を、そのケーブル貫通穴を貫通させるように配線し、フレキシブルケーブル６０の途中部６０ａを、前記同様、所定部材のケーブル貫通穴に臨む特定壁部に保持することができる。
【実施例２】
【００５５】
実施例２のケーブル保持構造７０Ａは、図１３、図１４に示すように、フレキシブルケーブル６０Ａの途中部６０Ａａにそのケーブル６０Ａ（途中部６０Ａａ）が所定部材３１Ａの右端部分の特定壁部７１Ａを挟むように曲げた曲げ部６０Ａｂを形成し、そのケーブル６０Ａ（途中部６０Ａａ）の曲げ部６０Ａｂの両端側を特定壁部７１Ａに接触させるように保持する保持部材７５Ａ（保持部７５Ａ）を設けたものである。
【００５６】
例えば、ケーブル６０Ａの両端部（図示略）は、実施例１のケーブル６０の両端部と同様、夫々コネクタ６１，６２を介して基板４３，５３に接続されている。所定部材３１Ａは、実施例１の可動役物ベース３１の代わりに設けられ、例えば、可動役物ベース３１と同様に左右方向へ可動するものであってもよいし、静止側の部材であってもよい。
【００５７】
保持部材７５Ａは、所定部材３１Ａの特定壁部７１Ａと共に、フレキシブルケーブル６０Ａの途中部６０Ａａを挟持する二股状の挟持部７６Ａと、この挟持部７６Ａと一体形成され所定部材３１Ａに固定される取付部７７Ａとを有する。取付部７７Ａは、所定部材３１Ａの右端部に沿って延び、所定部材３１Ａにビス７８Ａにより固定されている。
【実施例３】
【００５８】
実施例３のケーブル保持構造７０Ｂは、図１５に示すように、フレキシブルケーブル６０Ｂの途中部６０Ｂａにそのケーブル６０Ｂ（途中部６０Ｂａ）が所定部材３１Ｂの凸状の特定壁部７１Ｂを挟むように曲げた曲げ部６０Ｂｂを形成し、そのケーブル６０Ｂ（途中部６０Ｂａ）の曲げ部６０Ｂｂの両端側を特定壁部７１Ｂに接触させるように保持する保持部材７５Ｂ（保持部７５Ｂ）を設けたものである。
【００５９】
尚、保持部材７５Ｂは、所定部材３１Ｂの特定壁部７１Ｂと共に、フレキシブルケーブル６０Ｂの途中部６０Ｂａを挟持する二股状の挟持部７６Ｂを有し、所定部材３１Ｂに固定されている。また、図示省略するが、このフレキシブルケーブル６０Ｂの両端部は、夫々コネクタを介して配線用の基板に接続されている。
【実施例４】
【００６０】
実施例４のケーブル保持構造７０Ｃは、図１６、図１７に示すように、フレキシブルケーブル６０Ｃの途中部６０Ｃａにそのケーブル６０Ｃ（途中部６０Ｃａ）が配線用の基板８０の端部を挟むように曲げた曲げ部６０Ｃｂを形成し、そのケーブル６０Ｃ（途中部６０Ｃａ）の曲げ部６０Ｃｂの両端側を基板８０に接触させるように保持する保持部材７５Ｃ（保持部７５Ｃ）を設けたものである。
【００６１】
フレキシブルケーブル６０Ｃの一端部６０Ｃｃが基板８０にコネクタ６１Ｃを介して接続され、図示省略するが、フレキシブルケーブル６０Ｃの他端部が他の配線用の基板にコネクタを介して接続されている。この基板８０は可動側の部材に設けられたものであってもよいし、静止側の部材に設けられたものであってもよい。
【００６２】
保持部材７５Ｃは、基板８０と共に、フレキシブルケーブル６０Ｃの途中部６０Ｃａを挟持する二股状の挟持部７６Ｃと、この挟持部７６Ｃと一体形成され基板８０に固定される取付部７７Ｃとを有する。取付部７７Ｃは、基板８０の端部に沿って延び、基板８０にビス７８Ｃにより固定されている。
【００６３】
実施例２，３，４のケーブル保持構造７０Ａ，７０Ｂ，７０Ｃによれば、基本的に、実施例１のケーブル保持構造７０と同様の効果を奏する。その他、本発明の趣旨を逸脱しない範囲において、実施例１〜４の各実施例に種々の変更を付加して実施可能であり、この場合、各実施例の任意の構成と他の１又は複数の実施例の任意の構成とを可能であれば組合せて実施してもよい。例えば、保持部材については、取付部を省略して、その挟持部がフレキシブルケーブルを介して特定端部を挟持することで特定端部に固定されるものでもよい。尚、本発明については、その他の種々のパチンコ遊技機、或いは、スロットマシン等の種々の遊技機に適用可能である。
【符号の説明】
【００６４】
１  パチンコ遊技機
３１  可動役物ベース（所定部材）
３１Ａ，３１Ｂ  所定部材
４３，５３，８０  配線用の基板
６０，６０Ａ，６０Ｂ，６０Ｃ  フレキシブルケーブル
６０ａ，６０Ａａ，６０Ｂａ，６０Ｃａ  途中部
６０ｂ，６０Ａｂ，６０Ｂｂ，６０Ｃｂ  曲げ部
６０ｃ，６０Ｃｃ  一端部
６１，６２，６１Ｃ  コネクタ
７０，７０Ａ，７０Ｂ，７０Ｃ  ケーブル保持構造
７１，７１Ａ，７１Ｂ  特定壁部
７５，７５Ａ，７５Ｂ，７５Ｃ  保持部材
【図１】
2014221104.tif 000003
【図２】
2014221104.tif 000004
【図３】
2014221104.tif 000005
【図４】
2014221104.tif 000006
【図５】
2014221104.tif 000007
【図６】
2014221104.tif 000008
【図７】
2014221104.tif 000009
【図８】
2014221104.tif 000010
【図９】
2014221104.tif 000011
【図１０】
2014221104.tif 000012
【図１１】
2014221104.tif 000013
【図１２】
2014221104.tif 000014
【図１３】
2014221104.tif 000015
【図１４】
2014221104.tif 000016
【図１５】
2014221104.tif 000017
【図１６】
2014221104.tif 000018
【図１７】
2014221104.tif 000019